(57)【要約】【課題】  記録時の異常（エラー）を検出することを可能にする。【解決手段】  光ディスク１１に記録されたデータを光学ヘッド１２によって読みとられ再生された再生信号と、光ディスクに記録すべきデータを含む記録信号とのいずれか一方を選択する選択回路１６と、選択回路により選択された信号からチャネルクロックを生成するチャネルクロック生成回路１８と、チャネルクロックに基づいて選択信号からシンクパターンを検出するシンクパターン検出回路５１と、シンクパターン検出回路によって検出されたシンクパターンのタイミングに基づいてチャネルクロックのカウントを開始し、チャネルクロックをカウントするカウンタ５２、５４と、カウンタのカウント値に基づいて選択信号を復調する復調回路２０と、復調回路の出力である、データと前記光ディスクの記録順列方向に付加されるＥＣＣパリティ情報とを含む復調データに基づいてシンドローム演算するシンドローム演算回路５６と、シンドローム演算回路の出力であるシンドローム演算結果に基づいて記録を中断するマイクロプロセッサ２８とを備えている。【選択図】  図１
2005259280.tif 000002
【特許請求の範囲】
【請求項１】
光ディスクに記録されたデータを光学ヘッドによって読みとられ再生された再生信号と、前記光ディスクに記録すべきデータを含む記録信号とのいずれか一方を選択する選択回路と、
前記選択回路により選択された信号からチャネルクロックを生成するチャネルクロック生成回路と、
前記チャネルクロックに基づいて前記選択信号からシンクパターンを検出するシンクパターン検出回路と、
前記シンクパターン検出回路によって検出されたシンクパターンのタイミングに基づいて前記チャネルクロックのカウントを開始し、前記チャネルクロックをカウントするカウンタと、
前記カウンタのカウント値に基づいて前記選択信号を復調する復調回路と、
前記復調回路の出力である、データと前記光ディスクの記録順列方向に付加されるＥＣＣパリティ情報とを含む復調データに基づいてシンドローム演算するシンドローム演算回路と、
前記シンドローム演算回路の出力であるシンドローム演算結果に基づいて記録を中断するマイクロプロセッサと
を備えたことを特徴とする光ディスク記録再生装置。
【請求項２】
光ディスクに記録されたデータを光学ヘッドによって読みとられ再生された再生信号と、前記光ディスクに記録すべきデータを含む記録信号とのいずれか一方を選択する選択回路と、
前記選択回路により選択された信号からチャネルクロックを生成するチャネルクロック生成回路と、
前記チャネルクロックに基づいて前記選択信号からシンクパターンを検出するシンクパターン検出回路と、
前記シンクパターン検出回路によって検出されたシンクパターンのタイミングに基づいて前記チャネルクロックのカウントを開始し、前記チャネルクロックをカウントするカウンタと、
前記カウンタのカウント値が所定値となったタイミングで前記シンクパターン検出回路によって前記シンクパターンが検出されたか否かを判定し、前記シンクパターンが検出されなかった回数をカウントするシンクパターン未検出回数カウンタと、
前記シンクパターン未検出回数カウウンタのカウント値が所定値になったときに記録を中断するマイクロプロセッサと
を備えたことを特徴とする光ディスク記録再生装置。
【請求項３】
前記光ディスク上のディフェクトを検出してディフェクト検出信号を発生するディフェクト検出信号発生回路と、前記ディフェクト検出信号に基づいて前記選択信号をマスクし、このマスクされた前記選択信号を前記チャネルクロック生成回路および前記シンクパターン検出回路に送出するデータマスク回路とを備えたことを特徴とする請求項１または２記載の光ディスク記録再生装置。
【請求項４】
前記再生信号と前記記録信号のいずれか一方を前記選択回路に選択させるための制御信号が再生から記録への変化時あるいは記録から再生への変化時にリセット信号を生成するリセット信号発生回路と、前記リセット信号によって前記カウンタが初期化されることを特徴とする請求項１乃至３のいずれかに記載の光ディスク記録再生装置。
【請求項５】
請求項１乃至４のいずれかに記載の光ディスク記録再生装置が１チップ上に形成されたことを特徴とする光ディスク記録再生装置用の半導体集積回路。
【発明の詳細な説明】
【技術分野】
【０００１】
本発明は、光ディスク記録再生装置および光ディスク記録再生装置用の半導体集積回路に関するものである。
【背景技術】
【０００２】
一般に、光ディスクには、無記録状態でも線速度が検出できるように、トラックをランド部とグルーブ部に分け、上記ランド部とグルーブ部の境界にうねり（ウォブル）を持たせることにより、線速度に依存した周波数信号（以下、ウォブル信号ともいう）を検出できるようにしてある。
【０００３】
ディスクへデータを記録する際にディスクの回転変動に追従させるため、上記ウォブル信号から記録クロックを生成する技術が知られている（例えば、特許文献１参照）。
【０００４】
しかし、ウォブル信号から記録クロックを生成した場合、ウォブル品位悪化が原因で記録クロックが乱れる可能性があり、記録クロックの乱れによる記録レート変動が再生時に与える影響の度合いについては予測できない。
【０００５】
また、この記録クロックの乱れが、高倍速記録時に記録データ生成回路の動作周波数限界を超える程度まで発振する可能性もあり、記録データ生成回路の動作周波数限界に起因したエラーが記録データに混在しても検出する手段は現時点では知られていない。
【０００６】
同様に、記録中にディフェクトがあった場合に再生時に与える影響の度合いについて予測できない。
【０００７】
以上の述べたように、記録時の異常（エラー）を検出することができないため、記録停止または記録継続の判断がつかないという問題があった。
【特許文献１】特開２００１−３５７６２０号公報
【発明の開示】
【発明が解決しようとする課題】
【０００８】
本発明は、記録時の異常（エラー）を検出することのできる光ディスク記録再生装置および光ディスク記録再生装置用の半導体集積回路を提供することを目的とする。
【課題を解決するための手段】
【０００９】
本発明の第１の態様による光ディスク記録再生装置は、光ディスクに記録されたデータを光学ヘッドによって読みとられ再生された再生信号と、前記光ディスクに記録すべきデータを含む記録信号とのいずれか一方を選択する選択回路と、前記選択回路により選択された信号からチャネルクロックを生成するチャネルクロック生成回路と、前記チャネルクロックに基づいて前記選択信号からシンクパターンを検出するシンクパターン検出回路と、前記シンクパターン検出回路によって検出されたシンクパターンのタイミングに基づいて前記チャネルクロックのカウントを開始し、前記チャネルクロックをカウントするカウンタと、前記カウンタのカウント値に基づいて前記選択信号を復調する復調回路と、前記復調回路の出力である、データと前記光ディスクの記録順列方向に付加されるＥＣＣパリティ情報とを含む復調データに基づいてシンドローム演算するシンドローム演算回路と、前記シンドローム演算回路の出力であるシンドローム演算結果に基づいて記録を中断するマイクロプロセッサとを備えたことを特徴とする。
【００１０】
また、本発明の第２の態様による光ディスク記録再生装置は、光ディスクに記録されたデータを光学ヘッドによって読みとられ再生された再生信号と、前記光ディスクに記録すべきデータを含む記録信号とのいずれか一方を選択する選択回路と、前記選択回路により選択された信号からチャネルクロックを生成するチャネルクロック生成回路と、前記チャネルクロックに基づいて前記選択信号からシンクパターンを検出するシンクパターン検出回路と、前記シンクパターン検出回路によって検出されたシンクパターンのタイミングに基づいて前記チャネルクロックのカウントを開始し、前記チャネルクロックをカウントするカウンタと、前記カウンタのカウント値が所定値となったタイミングで前記シンクパターン検出回路によって前記シンクパターンが検出されたか否かを判定し、前記シンクパターンが検出されなかった回数をカウントするシンクパターン未検出回数カウンタと、前記シンクパターン未検出回数カウウンタのカウント値が所定値になったときに記録を中断するマイクロプロセッサとを備えたことを特徴とする。
【００１１】
また、本発明の第３の態様による光ディスク記録再生装置用の半導体集積回路は、上記第１または第２の態様による光ディスク記録再生装置が１チップ上に形成されたことを特徴とする。
【発明の効果】
【００１２】
本発明によれば、記録時の異常（エラー）とこれに対する再生時への影響度を検出することができる。
【発明を実施するための最良の形態】
【００１３】
以下、本発明の光ディスク記録再生装置の実施形態を、図面を参照して説明する。
【００１４】
図１は本発明の一実施形態による光ディスク記録再生装置の構成を示すブロック図である。本実施形態においては、光ディスク１１の一例として追記型のＤＶＤであるＤＶＤ−Ｒを用いて説明する。光ディスク１１としてのＤＶＤ−Ｒの全体を図２に示し、図２に示したＤＶＤ−Ｒの一点鎖線で囲んだ領域の一部を拡大した斜視図を図３に示す。
【００１５】
図２に示した追記型の光ディスクであるＤＶＤ−Ｒ（以下、単にディスクと略称する）１１について説明する。図３に示すように、ディスク１１上のディスク記録面にはトラック位置情報等のディスク情報を表すプリピット４６が形成されている。また、ウォブル信号に対応してディスク１１の半径方向に所定の周期で僅かに揺動（ウォブリング）したグルーブトラック４２が形成されている。
【００１６】
また、ディスク１１には、グルーブトラック４２にレーザビームＡを誘導するためのランドトラック４３が形成されており、このランドトラック４３にプリピット４６が形成されている。グルーブトラック４２はトラックに沿って一定距離毎にウォブリングがされており、このグルーブトラック４２からウォブル信号を抽出することによりディスクの回転制御及び記録用クロック信号の生成が行われる。
【００１７】
また、ランドトラック４３に設けられたプリピット４６は、ディスク情報並びにアドレスを示すプリピット信号を発生するためのものであり、ウォブリングされたグルーブトラック４２の最大変位位置に存在している。このプリピット信号は隣接トラックとのクロストークにより位相情報が失われることがないため、その位相精度はウォブル信号と比べると高い信号である。
【００１８】
図３に示すように、ディスク１１は有機色素材料などで形成される記録膜４１、反射膜４５、及び保護膜４４を有して形成されている。ディスク１１に対するデータの記録は、そのデータに応じて変調されたレーザビームＡをグルーブトラック４２の記録膜４１に照射することにより行われる。上記のように形成されたディスク１１にデータを記録再生する場合、ディスク１１の中心を軸としディスク１１を回転させながら、ディスク記録面に対してレーザビームＡを照射する。このときのディスク１の回転周波数は、後述するグルーブトラック４２からの反射光を受けたクロック信号発生装置においてウォブル信号を抽出して、ディスク１１の回転角速度が一定になるようスピンドルモータの回転数を制御する。
【００１９】
図４に、ディスク１１に記録されるデータフォーマットを示す。図４に示すように、１ラインは２つのシンクパターン（２バイト長）でフレームと呼ばれる単位に区切られ、シンクパターンを含み１８６バイト長で構成される。１セクタは１３ラインで構成され、これが１６セクタ集まり１ＥＣＣブロックを形成する。ライン方向、すなわちディスク記録再生順列方向にはフォーマットに則りシンクパターンを除くデータ１７２バイトに対してＰＩパリティ１０バイトが生成される。また、縦方向には１６セクタを１単位として１６バイトのＰＯパリティが生成される。これらパリティはそれぞれエラー訂正用に付加されたものである。なお、セクタ先頭ラインにはセクタＩＤ４バイトとこれに対する誤り検出用符号ＩＥＤ２バイトが付加され、リアルタイムに再生ＩＤの信頼性がチェックできるようになっている。さらにセクタ先頭ラインにはコピープロテクション情報ＣＰＲ＿ＭＡＩ６バイトが付加される。また。セクタ最終ラインには１セクタ２０６０バイトに対する誤り検出コードＥＤＣ４バイトが付加され、エラー訂正後のデータ信頼性を再確認できるようになっている。
【００２０】
図１を参照して、本実施形態による光ディスク記録再生装置の再生系動作について説明する。光ディスク１１からピックアップヘッド１２により読み取られた信号は、ＲＦアンプ１３に供給される。ＲＦアンプ１３は、ピックアップヘッド１２から供給される信号に応じてサーボ制御に必要なエラー信号を生成するとともに、情報信号の波形等化などを行ったＲＦ信号(情報信号)、及びウォブル信号を生成する。上記エラー信号はサーボ制御回路１４に供給される。このサーボ制御回路１４はエラー信号に基づき出力信号のゲインや位相を調整し、ピックアップヘッド１２を駆動する図示せぬアクチュエータや送りモータが制御される。
【００２１】
一方、上記ＲＦアンプ１３から出力される波形等化されたＲＦ信号は、データスライサ１５に供給され、スライスされる。データスライサ１５によってスライスされたデータは選択回路１６、データマスク回路１７を経由してデータＰＬＬ回路１８、シンク検出保護回路１９に入力される。シンク検出保護回路１９ではデータＰＬＬ回路１８によって生成されたデータＰＬＬクロック（以下、チャネルクロックとも云う）と、スライスされたデータとからシンクパターンを検出するとともに、同期保護をかける。シンク検出保護回路１９の出力信号に基づいてデータ復調回路２０が情報信号の復調を行う。復調された信号はエラー訂正回路２１に供給される。このエラー訂正回路２１は、ＲＡＭからなるエラー訂正用バッファ２２を用いて復調された信号のエラーを訂正する。このエラー訂正回路２１の出力信号はデータバッファ回路２３を介してＲＡＭからなるデータバッファ２４に一時記憶される。データバッファ回路２３は、ホストコンピュータ２５からの要求に応じてデータバッファ２４に記憶されたデータをホストコンピュータ２５に出力する。
【００２２】
上記シンク検出保護回路１９の動作を、図５および図６を参照して説明する。図５は、シンク検出保護回路１９の構成の一具体例を示すブロック図、図６はシンク検出保護回路１９の動作を説明するタイミングチャートである。データマスク回路１７から出力されたデータとデータＰＬＬ回路１８の出力であるデータＰＬＬクロックに基づいてシンクパターンがシンクパターン検出回路５１によって検出される。シンクパターン検出結果は同期用サブカウンタ５２と同期用メインカウンタ５４に入力される。同期用サブカウンタ５２はシンクパターン検出毎にシンクパターン周期（１４８８チャネルクロック）でチャネルクロックをカウントするカウンタであり、カウント値が１４８８に満たないうちにシンクパターンが発生すればカウント値をリセットする。
【００２３】
図６の再生状態にて制御ＭＰＵ２８によるソフト的なリセットの発生によって、同期用サブカウンタ５２、同期用メインカウンタ５４、およびメインウィンドウ生成回路／外れ回数計測回路５５の出力であるシンクロック信号はリセットされる。運用にもよるが、リセット後、同期用サブカウンタ５２が例えば２周期連続でシンクパターンを検出した場合（図６の時点Ａ参照）、同期用メインカウンタ５４がスタートするとともにシンクロック信号が「Ｌ」レベルから「Ｈ」レベルとなる。以降ライトゲート信号が「Ｌ」レベルを示す再生中に、同期用メインカウンタ５４は、カウント値０を中心としてある程度の幅を持つ、メインウィンドウ生成回路／外れ回数計測回路５５によって生成されるメインウィンドウ内にシンク検出が行われればその位置に位相合わせする。メインウィンドウ生成回路／外れ回数計測回路５５は、データＰＬＬ回路１８の出力であるチャネルクロックに基づいて動作し、「Ｈ」レベルのシンクロック信号を発生することにより、同期用メインカウンタ５４をリセットするとともに、同期用メインカウンタ５４のカウント値に基づいて、メインウィンドウを発生し、上記メインウィンドウ内にシンクパターンが検出できない回数を計測する。そして、メインウィンドウ生成回路／外れ回数計測回路５５によって計測された、上記メインウィンドウ内にシンクパターンが検出できない回数（外れ回数）が所定回数（例えば７回）に達したらシンクロック信号を「Ｌ」レベルに落とす。この時、同期用サブカウンタ５２が２回連続でシンクパターンを検出した引き込み状態であれば、次のシンクパターン検出位置にてサブカウンタ５２のカウント値と位相合わせし、再引き込みするとともにシンクロック信号を「Ｈ」レベルにする。データ復調回路２０は同期用メインカウンタ５４の値を元にデータ復調することになる。
【００２４】
次に、本実施形態による光ディスク記録再生装置の記録系動作について、図１を参照して説明する。記録時には光ディスク１１の物理アドレス情報を得るため、ウォブルとランドプリピットから物理アドレスを得る必要がある。ＲＦアンプ１３から抽出されたウォブル信号はウォブルＰＬＬ回路２６とＬＰＰ再生回路２７に入力される。ウォブルＰＬＬ回路２６では再生されるウォブル信号に基づいてＰＬＬ(Phase-Locked Loop)をかけ、ロックドウォブルを生成する。ウォブルは１８６チャネルビットで１周期が形成されており、上記データＰＬＬの１８６クロックに相当する。なお、１バイト長は１６チャネルビットにて形成される。なお、ウォブルＰＬＬ回路２６によって生成されたロックドウォブルに基づいて、ディスク回転制御回路３６によって光ディスク１１の回転駆動軸が制御される。
【００２５】
ＬＰＰ再生回路２７ではウォブル信号から高周波のランドプリピット信号を抜き出し、これをスライスしてプリピット情報を得る。ＬＰＰ再生回路２７ではロックドウォブルとＬＰＰスライス結果に基づいてＬＰＰを再生し、ディスク１１の物理アドレスを復調し、システム制御ＭＰＵ２８およびシーケンス制御回路２９へ出力する。
【００２６】
次に、本実施形態による光ディスク記録再生装置の記録系のデータシーケンスについて説明する。ホストコンピュータ２５から供給されたデータは、データバッファ回路２３を介してデータバッファ２４に記憶される。このデータバッファ２４に記憶されたデータは、データバッファ回路２３を介して、パリティ生成回路３０に供給される。このパリティ生成回路３０はパリティ信号を生成し、データに付加する。続いて、シンクパターンがシンク付加回路３１においてデータに付加され、パリティ信号およびシンクパターンが付加されたデータはデータ変調回路３２において変調され、レーザ駆動回路３３にビットストリームからなる記録信号として供給される。このレーザ駆動回路３３は記録信号に応じてピックアップヘッド１２に設けられた図示せぬ半導体レーザを駆動し、光ディスク１１にピットを形成する。
【００２７】
また、シンク付加回路３１、データ変調回路３２は記録クロック生成ＰＬＬ回路３４で生成された記録用のクロック信号により動作される。この記録クロック生成ＰＬＬ回路３４は、上記ロックドウォブルからチャネル単位の記録クロック信号を１８６逓倍して生成する。
【００２８】
本実施形態において、図１の選択回路１６はライトゲート信号が「Ｌ」レベルのときにデータスライサ後の再生信号を選択し、ライトゲート信号が「Ｈ」レベルの時はデータ変調回路３２から出力される変調データを選択する。選択回路１６から出力された信号はデータマスク回路１７に入力される。ここでデータマスク回路１７にはディフェクト検出回路３５から出力されたディフェクト検出信号が入力され、ディフェクト信号がアクティブ期間、データがマスクされるようになっている。
【００２９】
ディフェクト検出回路３５は、ＲＦアンプ１３から出力される再生ＲＦ信号やウォブル信号の振幅方向に対して２つのピークホールド回路（図示せず）を有しており、第１のピークホールド回路より第２のピークホールド回路の方が長い時定数を有している。そして第２のピークホールド回路の出力信号の振幅レベルを調整するレベル調整部（図示せず）が更に設けられており、第１のピークホールド回路からの信号とレベル調整部からの信号がコンパレータにおいてレベル比較される。第１のピークホールド回路は補償するディフェクト検出期間に応じて設定されている。ピークホールド回路において、ディフェクトの発生にほぼ追随してその振幅レベルは低下するが、このピークホールド回路と時定数の異なる別のピークホールド回路では、振幅レベルはディフェクトの発生にすぐには追随しないことを利用してディフェクトを検出する。
【００３０】
図５に示すリセット生成回路５９は再生から記録、または記録から再生に変化した際（ライトゲート信号の変化）にリセットパルス（リセット信号）を生成する。図６のタイミングチャートにおいて再生から記録への変化時点（図６の時点Ｂ参照）で発生したリセットパルスにより、同期用サブカウンタ５２と同期用メインカウンタ５４は０リセットされ、再生時の状態がクリアーされる。この理由は再生から記録への移行に伴い、選択回路１６で選択された信号の位相が若干ずれるためであり、記録時の状態に早く引き込むよう工夫されている。ライトゲート信号が「Ｈ」レベルとなり、選択信号が再生信号から記録信号に切り替わった際に発生する位相ずれはデータＰＬＬ回路１８の位相引き込みによりすぐに解消される。しかし、数チャネルビットのずれが発生する可能性がある。このため、特に同期保護のかかる同期用メインカウンタ５４はここでリセットすることが望ましい。
【００３１】
最初のシンクパターンを検出すると同期用サブカウンタ５２がカウント動作を開始する。記録データは、再生時にデータＰＬＬ回路１８が生成していたデータクロックと同一周波数の記録クロックにより１４８８周期で生成されているため、２発目のシンクは確実に取れる。ここで同期用メインカウンタ５４が動作を開始し、シンクロック信号を「Ｈ」レベルにする。記録時には基本的にチャネル単位のずれは許されないため、図５に示すメインウィンドウ生成回路／外れ回数計測回路５５によって生成されたメインウィンドウは幅を持たずシンクパターンの完全一致のみを検出する。
【００３２】
図６の時点Ｃにおいて記録クロックに異常が発生し、データＰＬＬ回路１８の位相再引き込みが発生した。この後、データＰＬＬ回路１８の発生するデータクロックとシンクパターン周期との関係が崩れ、同期用メインカウンタが０となった時点Ｄ（図６参照）ではシンク検出がされない。図６に示す例においては、記録時に上述したようにシンク検出条件を強め、メインウィンドウ生成回路／外れ回数計測回路５５によって計測されたシンク外れ保護回数が１回となった場合に、時点Ｄでシンクロック信号が「Ｌ」レベルに落ちる。このように記録時にシンクロック信号の立ち下がった場合、すなわち、メインウィンドウ生成回路／外れ回数計測回路５５によって計測されたシンク外れ保護回数が所定回数（図６に示す例においては１回のみ）となった場合に、メインウィンドウ生成回路／外れ回数計測回路５５からシステム制御ＭＰＵ２８へ割り込みを発生すれば（図示せず）、記録時のシンク異常が把握でき、システム制御ＭＰＵ２８は記録停止の判断材料の一つとすることができる。なお、ここでは記録時には同期用メインカウンタ５４はシンクロック信号が「Ｌ」レベルでは再引き込みしないようにしており、以降シンクパターンがずれた状態で推移するためシステム制御ＭＰＵ２８はステータスとしてシンクロック信号を読み取っても良い。
【００３３】
次に、本実施形態において、記録クロックが異常発振し、これにより変調回路等の動作周波数限界を超えた場合の動作を、図７を参照して説明する。図７は、時点Ｅにおいて記録クロックが異常発振し、これにより変調回路等の動作周波数限界を超えたためシンクパターンが欠落した場合のタイミングチャートを示す例である。このときのレート変動はデータＰＬＬ回路１８が位相追従しておりデータＰＬＬ回路１８が生成するデータクロックによりシンクパターンの周期は乱れない。しかしながら、時点Ｅにおいてシンクパターンが欠落したためシンクロック信号が「Ｌ」レベルとなった後、シンクパターンが２回連続で同期用メインカウンタ５４の周期にて出現した時点Ｆにおいて、シンクロック信号は再度「Ｈ」レベルとなる。前述したようにここでシンクロック信号の立ち下がりで制御ＭＰＵ２８へ割り込みを発生すれば、制御ＭＰＵ２８は記録停止の判断材料とすることができる。
【００３４】
次に、本実施形態の他の動作を、図８を参照して説明する。図８は、ディスク記録再生順列方向に付加されたＰＩパリティを利用してＰＩ系列方向のデータ誤りを検出し、この結果を記録停止判断材料として利用する場合のタイミングチャートの一例である。
【００３５】
再生時、図１に示すＰＩ系列方向のデータ誤り検出回路３７は、再生データの品位をチェックするものであり、データ誤り検出回路３７またはエラー訂正回路２１に含まれているＦＩＦＯ等を用いて、エラー訂正回路２１がエラー訂正バッファ２２に書き込む前に、ＰＩ方向のエラー訂正を実施することが可能である。なお、ＰＩ方向のエラーチェックのみを実施し、エラー有りのＰＩアドレス（０〜２０７）結果に基づき、エラー訂正バッファ２８を利用して最初に実施するＰＯ系列エラー訂正の際にエラーロケーションとして利用（すなわち消失訂正）してもよい。
【００３６】
図８に示す例では再生時の上記機能を利用して記録データに対してＰＩ方向のエラーチェックを実施する。再生から記録への移行に伴い前述したように、データには記録変調データが入力される。このデータ列からシンク検出保護回路１９によってシンクを検出し、データ復調回路２０によって復調処理し、ＰＩ系列方向のシンドローム演算をシンドローム演算回路５６によって実行する。再生から記録への移行に伴い、図８に示すようにデータ繋ぎ部分においてＰＩ系列方向のエラーチェック結果は必ずエラーとなるため、この部分は記録停止判断材料から除外する。この後、記録クロックが乱れる事象が発生したものの再生側データＰＬＬ回路１８が位相追従できる範囲であったため、シンク検出間隔に乱れがなく、シンクロック外れは発生しない。しかしながら、記録クロックが揺らいだ瞬間にデータ変調回路３２やシンク付加回路３１は、これら自身の動作限界を超える記録クロック周波数が発生したことにより動作が不能（ＮＧ）となり、変調データにエラーが混入され、ＰＩ系列のエラーチェック結果がＮＧとなる。これはレート変動に応じて実際に記録されたディスクを再生する際に必ずデータエラーとなることを意味する。このデータエラーとなる回数を、シンドローム演算回路５６の出力に基づいてシンドローム演算結果ＮＧ回数計測回路５７によって計測し、この計測回数が所定回数に達した場合に、シンドローム演算結果ＮＧ回数計測回路５７から割り込みを制御ＭＰＵ２８に発生すれば、記録停止を行うことができる。
【００３７】
次に、図９を参照して本実施形態の他の動作を説明する。図９は図１に示すディフェクト検出回路３５で得られたディフェクト信号を次段のデータマスク回路１７へ入力し、記録データをマスク（または反転）処理してＰＩ系列エラーチェック結果をＮＧとする場合のタイミングチャートである。図９に示す例のようにすることにより記録時のディフェクト長に応じたエラー数が把握できる。なお、図９に示す例は、ＤＶＤ−ＲばかりでなくＣＤにも適用することができる。
【００３８】
図９のタイミングチャートに示すようにディフェクト検出信号がアクティブの期間、データマスク回路１７によって記録データをマスク（反転）処理した結果、シンクロック外れ（メインパターンもマスクするため）とＰＩ系列方向エラーとが発生する。しかし、図９に示す例では、図５に示すシンクパターン間隔ＮＧ回数計測回路５８（シンク未検出回数５８ともいう）によって計測されたシンクパターン間隔ＮＧ回数（またはシンクパターン未検出回数）と、シンドローム演算結果ＮＧ回数計測回路５７によって計測されたＰＩ系列エラーチェック結果のＮＧ回数をそれぞれカウントする計測機能を備えている。ここではシンクパターン未検出回数とＰＩ系列エラー数は記録開始に伴い初期化（０リセット）され、記録開始以降ＰＩエラー数を計測し、２までカウントアップしたことを示している。制御ＭＰＵ２８は上記の場合と同様にシンクロック外れやＰＩエラー発生などの割り込みを受けるが、エラー数を見て記録停止するか否かの判断をすることになる（ここでは停止見送り）。また、ＰＩ系列エラーカウント数は制御ＭＰＵ２８により任意のタイミングでリセットすることを可能としておけば、記録エラー発生毎にそれぞれの事象でのエラー数を独立に把握することが可能である。以上の構成により、上記の場合と同様にシンクロック外れ検出とＰＩ系列方向エラー検出とが記録停止判断材料にできる他、シンクパターン未検出回数のカウント結果やＰＩエラー系列数のカウント結果を利用してディフェクトが再生時の信号品位（エラー）にどの程度の期間影響を及ぼすのかを把握することが可能となり、エラー長による記録停止の判断材料にすることができる。後者は、例えば特にＡＶ用途などで些細なエラーの場合は画像、音声データは補間処理することにより救われる可能性が高い場合に有用となる。また、同様に特にＡＶ用途等において、記録処理を停止してリトライするとリアルタイム記録が妨げられ、ある程度のエラーであれば記録停止しない方が良い場合等に有用である。
【００３９】
次に、図１０を参照して本実施形態の他の動作を説明する。図１０は、図９と同様にＰＩ系列エラー数を計測する場合のタイミングチャートである。この図１０に示す例では、図９の例と異なり、記録中にディフェクトは発生せず、記録クロックの異常発振によるＰＬＬ再引き込みが発生し、これによりエラーが生じた場面を示す。図９と同様に、ＰＩ系列エラー数がカウントアップされるが、“３”で停止し、制御ＭＰＵ２８は記録停止せずに記録シーケンスを継続した様子を示している。図９に示す場合と同様に、特にＡＶ用途等において、些細なエラーの場合は画像、音声データは補間処理することにより救われる可能性が高い場合、或いは、ある程度のエラーであればリアルタイム録画を妨げることなく記録シーケンスを続行した方が良い場合等に有用である。
【００４０】
なお、本実施形態による光ディスク記録再生装置は、１チップ上に形成した半導体集積回路として実現できる。
【００４１】
以上説明したように、本実施形態によれば、光ディスクへ記録するデータを再生経路にフィードバックすることにより記録データ、または記録クロックの異常を検知することが可能となり、記録停止を行うことができる。また、フィードバックする記録データをディフェクト検出信号でマスクすることによりディフェクト長による再生時の影響度を検出し、記録停止判断基準とする。
【００４２】
また、本実施形態によれば、ウォブルから生成する記録クロックの乱れによる記録データのレート変動が再生ＰＬＬに与える影響について実際の再生経路を用いてシンクパターン周期を計測することにより検出することができる。なお、特に高倍速記録時に記録クロックが高発振した場合の回路動作周波数限界に起因して記録データに含まれたエラーを同様にシンクパターン間隔計測結果に基づいて検出することができる。このため記録時にこの検出結果を元に記録停止かまたは記録継続の判断基準とすることができる。
【００４３】
また、本実施形態によれば、ウォブルから生成する記録クロックの乱れによる記録データのレート変動が再生ＰＬＬに与える影響について実際の再生経路を用いて復調しているので、復調データに含まれる誤り検出用または誤り訂正用パリティを用いてシンドローム演算した結果に基づいて検出することができる。なお、特に高倍速記録時に記録クロックが高発振した場合の回路動作周波数限界に起因して含まれたエラーを同様にシンドローム演算結果に基づいて検出することができる。このため、記録時にこの検出結果を元に記録停止または記録継続の判断基準とすることが可能となる。
【００４４】
また、本実施形態によれば、光ディスク上のディフェクトが記録データに与える影響について再生経路においてシンクパターン間隔計測や復調データのシンドローム演算結果から把握することができる。このため記録時にこの検出結果を元に記録停止または記録継続の判断基準とすることが可能となる。
【００４５】
また、本実施形態によれば、シンドローム演算を論理ＩＤと論理ＩＤに付加されたエラー検出用パリティとを元に実行するため、ディフェクトや記録データに含まれるエラーを素早く検出することが可能となる。
【００４６】
また、本実施形態によれば、シンドローム演算をディスク順列方向に付加されたエラー訂正用パリティを元に実行するため、ディフェクトや記録データに含まれるエラーを高精度に検出することが可能となる。
【００４７】
また、本実施形態によれば、シンクパターン間隔計測結果がNGであった回数をカウントすることにより、ディフェクトや記録データに含まれるエラー長を検出することができる。このため記録時にこの検出結果を元に記録停止または記録継続の判断基準とすることが可能となる。
【００４８】
また、本実施形態によれば、ディスク順列方向に付加されたエラー訂正用パリティに基づいたシンドローム演算結果がNGであった回数をカウントすることにより、ディフェクトや記録データに含まれるエラー長を検出することができる。このため、記録時にこの検出結果を元に記録停止または記録継続の判断基準とすることが可能となる。
【００４９】
また、本実施形態によれば、シンクパターン間隔計測やシンドローム演算結果を、記録ゲート信号によって再生データまたは記録データとして選択するため、記録時のエラー検出を自動的に開始することができる。
【００５０】
また、本実施形態によれば、記録ゲート信号の変化に伴いシンクパターン間隔計測カウンタが初期化されるため、シンクパターン間隔計測結果やシンドローム演算結果が記録開始前の再生データの影響を引きずらずに、記録開始と同時に前記したエラー検出ができることになる。
【図面の簡単な説明】
【００５１】
【図１】本発明の一実施形態による光ディスク記録再生装置の構成を示すブロック図。
【図２】ＤＶＤ−Ｒの全体の構成を示す斜視図。
【図３】図２に示す一点鎖線で囲んだ領域の拡大した斜視図。
【図４】光ディスクに記録されるデータフォーマットの一例を示す図。
【図５】本発明の一実施形態による光ディスク記録再生装置のシンク検出保護回路の一具体例の構成を示すブロック図。
【図６】シンク検出保護回路の動作を説明するタイミングチャート。
【図７】記録クロックが異常発振し、これにより変調回路等の動作周波数限界を超えたためシンクパターンが欠落した場合のタイミングチャート。
【図８】本発明の一実施形態による光ディスク記録再生装置の他の動作を説明するタイミングチャート。
【図９】本発明の一実施形態による光ディスク記録再生装置の他の動作を説明するタイミングチャート。
【図１０】本発明の一実施形態による光ディスク記録再生装置の他の動作を説明するタイミングチャート。
【符号の説明】
【００５２】
１１  光ディスク
１２  ピックアップヘッド
１３  ＲＦ−アンプ
１４  サーボ制御回路
１５  データスライサ
１６  選択回路
１７  データマスク回路
１８  データＰＬＬ回路
１９  シンク検出保護回路
２０  データ復調回路
２１  エラー訂正回路
２２  エラー訂正用バッファ
２３  データバッファ回路
２４  データバッファ
２５  ホストコンピュータ
２６  ウォブルＰＬＬ回路
２７  ＬＬＰ再生回路
２８  システム制御ＭＰＵ
２９  シーケンス制御回路
３０  パリティ生成回路
３１  シンク付加回路
３２  データ変調回路
３３  レーザ駆動回路
３４  記録クロック生成ＰＬＬ回路
３５  ディフェクト検出回路
３６  ディスク回転制御回路
３７  データ誤り検出回路
４１  記録膜
４２  グルーブトラック
４３  ランドトラック
４４  保護膜
４５  反射膜
４６  プリピット
５１  シンクパターン検出回路
５２  同期用サブカウンタ
５４  同期用メインカウンタ
５５  メインウィンドウ生成回路／外れ回数計測回路
５６  シンドローム演算回路
５７  シンドローム演算結果ＮＧ回数計測回路
５８  シンクパターン間隔ＮＧ回数計測回路（シンクパターン未検出回路）
５９  リセット生成回路
【図１】
2005259280.tif 000003
【図２】
2005259280.tif 000004
【図３】
2005259280.tif 000005
【図４】
2005259280.tif 000006
【図５】
2005259280.tif 000007
【図６】
2005259280.tif 000008
【図７】
2005259280.tif 000009
【図８】
2005259280.tif 000010
【図９】
2005259280.tif 000011
【図１０】
2005259280.tif 000012